Podtech/llm-jp-corpus-v4-ja_patent huggingface dataset:
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
高温媒体が供給される第１の高温部に対向する第１の高温側電極と、低温媒体が供給される第１の低温部に対向する第１の低温側電極とを有し、前記第１の高温部と前記第１の低温部との温度差に基づいて起電力を発生させる第１の熱電変換モジュールと、
前記第１の高温部に対して温度差を有する高温媒体が供給される第２の高温部に対向する第２の高温側電極と、前記第１の低温部に対して温度差を有する低温媒体が供給される第２の低温部に対向する第２の低温側電極とを有し、前記第２の高温側電極と前記第２の低温側電極との間の電位差に基づいて温度差を発生させる第２の熱電変換モジュールとを備え、
前記第１の高温側電極と前記第２の高温側電極とが導通されており、
前記第１の低温側電極と前記第２の低温側電極とが導通されていることを特徴とする熱電発電装置。
【請求項２】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、前記内燃機関に吸入される空気が流れる吸気系部材からなることを特徴とする請求項１に記載の熱電発電装置。
【請求項３】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、乗員が着座する座席を冷却するシートクーラからなることを特徴とする請求項１に記載の熱電発電装置。
【請求項４】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、バッテリからなることを特徴とする請求項１に記載の熱電発電装置。
【請求項５】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、過給機のコンプレッサの下流側に接続され、前記コンプレッサから前記内燃機関に吸入される空気を冷却するインタクーラからなることを特徴とする請求項１に記載の熱電発電装置。
【請求項６】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、前記内燃機関の排気ガスを前記内燃機関に還流させるＥＧＲ通路に設けられたＥＧＲクーラからなることを特徴とする請求項１に記載の熱電発電装置。
【請求項７】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気に接触する接触部材、または前記内燃機関若しくは変速機を冷却するオイルが流れるオイル通路からなり、
前記第２の高温部は、外気に接触する接触部材、または前記内燃機関を冷却する冷却水が流れる冷却水通路からなり、
前記第２の低温部は、前記内燃機関に流れる冷却水を冷却するラジエータからなることを特徴とする請求項１に記載の熱電発電装置。
【請求項８】
前記第１の熱電変換モジュールおよび前記第２の熱電変換モジュールは、車両に搭載されており、
前記第１の高温部は、内燃機関から排出される排気ガスが流れる排気系部材からなり、
前記第１の低温部は、外気または前記内燃機関または変速機を冷却するオイルが流れるオイル通路からなり、
前記第２の高温部は、外気に接触する接触部材、または前記内燃機関を冷却する冷却水が流れる冷却水通路からなり、
前記第２の低温部は、空調装置に設けられて冷媒を圧縮するコンプレッサからなることを特徴とする請求項１に記載の熱電発電装置。
【請求項９】
前記第１の熱電変換モジュールは、複数のＮ型熱電変換素子とＰ型熱電変換素子とが前記第１の高温側電極および前記第１の低温側電極を介して直列に配列されており、
前記第２の熱電変換モジュールは、複数のＮ型熱電変換素子とＰ型熱電変換素子とが前記第２の高温側電極および前記第２の低温側電極を介して直列に配列されており、
前記第１の熱電変換モジュールの前記Ｎ型熱電変換素子と前記Ｐ型熱電変換素子を１対とした場合の対数に対して、前記第２の熱電変換モジュールの前記Ｎ型熱電変換素子と前記Ｐ型熱電変換素子を一対とした場合の対数が増加されていることを特徴とする請求項１から請求項８のいずれか１項に記載の熱電発電装置。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
当否判定結果を報知する変動中演出を構成するものとして発生する可能性がある演出として、第一演出および第二演出が設定されており、
前記変動中演出にて、
前記第一演出が発生せずに前記第二演出が発生した場合には、対応する当否判定結果がはずれとなることが確定する一方、
前記第一演出および前記第二演出の両方が発生した場合には、対応する当否判定結果が当たりとなる可能性がある
ことを特徴とする遊技機。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
回転軸が水平または、奥側が下になるように傾斜した回転自在なるドラムと、
該ドラムを内包すると共に洗濯水を溜める外槽と、
該外槽を内包する筺体と、
前記外槽の上部を前方支持する第一の懸架手段と、
前記外槽の上部を後方支持する第二の懸架手段と、を有し、
前記第一の懸架手段は、前記筐体との接続部と、前記外槽との接続部と、を有し、前記外槽を前方且つ上方へ向けて懸架し、前記外槽との接続部は、前記外槽の上面と開口部との間に設けられた、ドラム式洗濯機。
【請求項２】
請求項１記載のドラム式洗濯機であって、
前記第一の懸架手段のコイル部は、前記外槽の径が最大となる部分よりも前方に位置し、
前記第二の懸架手段の前記外槽との接続部は、前記第一の懸架手段の前記外槽との接続部よりも後方に位置し、
前記第二の懸架手段の前記筐体との接続部は、前記第二の懸架手段の前記外槽との接続部より後方に位置する、ドラム式洗濯機。
【請求項３】
請求項１又は請求項２に記載のドラム式洗濯機であって、
前記第二の懸架手段は、前記第一の懸架手段よりも後方に備え、
前記第二の懸架手段の前記外槽との接続部より前方に外槽側の外れ防止部材を備え、
前記筺体に前記外槽側の外れ防止部材よりも前方に筺体側外れ防止部材を備え、
前記筺体側外れ防止部材と前記外槽側外れ防止部材間は、前記外槽を静態支持している状態から外槽が前方に移動して、前記第一の懸架手段が縮み、自然長となる前、または、自然長となった時に、前記筺体側外れ防止部材と前記外槽側外れ防止部材が干渉する距離とする、ドラム式洗濯機。
【手続補正２】
【補正対象書類名】明細書
【補正対象項目名】０００７
【補正方法】変更
【補正の内容】
【０００７】
上記課題を解決するために、本発明のドラム式洗濯機は、回転軸が水平または、奥側が下になるように傾斜した回転自在なるドラムと、該ドラムを内包すると共に洗濯水を溜める外槽と、該外槽を内包する筺体と、前記外槽の上部を前方支持する第一の懸架手段と、前記外槽の上部を後方支持する第二の懸架手段と、を有し、前記第一の懸架手段は、前記筐体との接続部と、前記外槽との接続部と、を有し、前記外槽を前方且つ上方へ向けて懸架し、前記外槽との接続部は、前記外槽の上面と開口部との間に設けられた、構成とする。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
支持部材に直動部材を直動可能に支持して備える遊技機において、
前記支持部材に支持されるガイドシャフトと、
前記直動部材に保持されかつ前記ガイドシャフトに直動可能に支持される摺動リングと、を備える遊技機。
【請求項２】
前記ガイドシャフトは、金属製であり、前記摺動リングは、自己潤滑性を有する請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、支持部材に直動部材を直動可能に支持して備える遊技機において、前記支持部材に支持されるガイドシャフトと、前記直動部材に保持されかつ前記ガイドシャフトに直動可能に支持される摺動リングと、を備える遊技機である。
【手続補正３】
【補正対象書類名】明細書
【補正対象項目名】０００７
【補正方法】削除
【補正の内容】
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
移動可能に支持された第１可動部と、前記第１可動部に支持された第２可動部とを駆動源からの動力によって駆動して遊技の演出を行う遊技機において、
前記第１又は第２の何れか一方の前記可動部をロックするロック手段を備え、
前記一方の可動部がロックされている状態から動き出すときの前記一方の可動部の移動する方向が、他方の前記可動部の移動に伴って前記一方の可動部が受ける力の方向と直交している遊技機。
【請求項２】
前記一方の可動部は回動可能に支持されている請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、移動可能に支持された第１可動部と、前記第１可動部に支持された第２可動部とを駆動源からの動力によって駆動して遊技の演出を行う遊技機において、前記第１又は第２の何れか一方の前記可動部をロックするロック手段を備え、前記一方の可動部がロックされている状態から動き出すときの前記一方の可動部の移動する方向が、他方の前記可動部の移動に伴って前記一方の可動部が受ける力の方向と直交している遊技機である。
【手続補正３】
【補正対象書類名】明細書
【補正対象項目名】０００７
【補正方法】変更
【補正の内容】
【０００７】
上記発明によれば、一方の可動部がロックされている状態から動き出すときの一方の可動部の移動する方向が、他方の可動部の移動に伴って一方の可動部が受ける力の方向と直交しているので、他方の可動部の移動を開始するときには、一方の可動部の停止状態が安定すると共に、他方の可動部の動きも安定する。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
移動可能に支持された第１可動部と、前記第１可動部に支持された第２可動部とを駆動源からの動力によって駆動して遊技の演出を行う遊技機において、
前記第１又は第２の何れか一方の前記可動部に連動する複数の連動部品をそれぞれロックするロック手段を複数設け、
前記一方の可動部の前記複数のロック手段によるロックがすべて完了したことを条件にして、他方の前記可動部を前記駆動源により移動するロック条件付駆動制御手段を備える遊技機。
【手続補正２】
【補正対象書類名】明細書
【補正対象項目名】０００６
【補正方法】変更
【補正の内容】
【０００６】
上記目的を達成するためになされた請求項１の発明は、移動可能に支持された第１可動部と、前記第１可動部に支持された第２可動部とを駆動源からの動力によって駆動して遊技の演出を行う遊技機において、前記第１又は第２の何れか一方の前記可動部に連動する複数の連動部品をそれぞれロックするロック手段を複数設け、前記一方の可動部の前記複数のロック手段によるロックがすべて完了したことを条件にして、他方の前記可動部を前記駆動源により移動するロック条件付駆動制御手段を備える遊技機である。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ケーブルの途中部分を収容するケーブル収容溝を有する遊技機において、
前記ケーブル収容溝の溝開口の両開口縁における一方の開口縁から他方の開口縁に向かって張り出した開口突片を有し、
前記開口突片は、前記他方の開口縁との間に開口幅が徐々に狭くなったケーブル誘導口を形成する傾斜部を備え、
前記開口突片のうち前記傾斜部を含む先端面が、前記ケーブル収容溝の溝側壁と対向する遊技機。
【手続補正２】
【補正対象書類名】明細書
【補正対象項目名】０００６
【補正方法】変更
【補正の内容】
【０００６】
上記目的を達成するためになされた請求項１の発明は、ケーブルの途中部分を収容するケーブル収容溝を有する遊技機において、前記ケーブル収容溝の溝開口の両開口縁における一方の開口縁から他方の開口縁に向かって張り出した開口突片を有し、前記開口突片は、前記他方の開口縁との間に開口幅が徐々に狭くなったケーブル誘導口を形成する傾斜部を備え、前記開口突片のうち前記傾斜部を含む先端面が、前記ケーブル収容溝の溝側壁と対向する遊技機である。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
支持部材に直動部材を直動可能に支持して備える遊技機において、
前記支持部材に支持されて、前記直動部材を直動方向に案内するガイド部材と、
前記支持部材に回動可能に支持されると共に、前記直動部材にスライド可能に連結される連結部位を有して前記直動部材に動力を伝達する動力伝達部材と、を備え、
前記直動部材が直動範囲の一端に配置されているときに、前記動力伝達部材の回動中心と前記連結部位とが、前記ガイド部材に沿って並ぶ遊技機。
【請求項２】
前記動力伝達部材及び前記直動部材は、前記連結部位により前記動力伝達部材の回動中心軸の軸方向の離間を規制されている請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、支持部材に直動部材を直動可能に支持して備える遊技機において、前記支持部材に支持されて、前記直動部材を直動方向に案内するガイド部材と、前記支持部材に回動可能に支持されると共に、前記直動部材にスライド可能に連結される連結部位を有して前記直動部材に動力を伝達する動力伝達部材と、を備え、前記直動部材が直動範囲の一端に配置されているときに、前記動力伝達部材の回動中心と前記連結部位とが、前記ガイド部材に沿って並ぶ遊技機である。
【手続補正３】
【補正対象書類名】明細書
【補正対象項目名】０００７
【補正方法】削除
【補正の内容】
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ケーブルの途中部分を収容するケーブル収容溝を有する遊技機において、
前記ケーブル収容溝の溝開口の両開口縁における少なくとも一方の開口縁から他方の開口縁に向かって張り出した開口突片を有し、
前記開口突片は、前記他方の開口縁との間、又は、前記他方の開口縁から突出した他方の突片との間に、開口幅が徐々に狭くなったケーブル誘導口を形成する傾斜部を備え、
前記開口突片の外面と、前記溝開口の両開口縁における一方の開口縁の外面又は／及び他方の開口縁の外面とが面一になっている遊技機。
【手続補正２】
【補正対象書類名】明細書
【補正対象項目名】０００６
【補正方法】変更
【補正の内容】
【０００６】
上記目的を達成するためになされた請求項１の発明は、ケーブルの途中部分を収容するケーブル収容溝を有する遊技機において、前記ケーブル収容溝の溝開口の両開口縁における少なくとも一方の開口縁から他方の開口縁に向かって張り出した開口突片を有し、前記開口突片は、前記他方の開口縁との間、又は、前記他方の開口縁から突出した他方の突片との間に、開口幅が徐々に狭くなったケーブル誘導口を形成する傾斜部を備え、前記開口突片の外面と、前記溝開口の両開口縁における一方の開口縁の外面又は／及び他方の開口縁の外面とが面一になっている遊技機である。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
所定条件の成立により図柄表示部において行われる図柄の可変表示において、特定の図柄が導出されると、遊技球に有利な大当たり遊技を実行可能であり、前記大当たり遊技において、遊技媒体を獲得可能な単位遊技が所定回数行われる遊技機であって、
前記大当たり遊技には、前記単位遊技が行われる回数がそれぞれ異なる複数種類の大当たり遊技が設けられており、
所定の演出を実行可能な演出制御手段を備え、
前記演出制御手段は、
前記大当たり遊技が実行される場合、前記単位遊技が行われる前に、前記遊技媒体に関連付けられたポイント数を２以上の特定回数繰り返して表示する特定演出を実行することがあり、
前記ポイント数が前記特定回数表示されたことに応じて、当該特定演出において繰り返して表示されたポイント数の合計を表示することを特徴とする遊技機。
【手続補正２】
【補正対象書類名】明細書
【補正対象項目名】０００７
【補正方法】変更
【補正の内容】
【０００７】
本発明の遊技機は、上記課題を解決するために、
所定条件の成立により図柄表示部において行われる図柄の可変表示において、特定の図柄が導出されると、遊技球に有利な大当たり遊技を実行可能であり、前記大当たり遊技において、遊技媒体を獲得可能な単位遊技が所定回数行われる遊技機であって、
前記大当たり遊技には、前記単位遊技が行われる回数がそれぞれ異なる複数種類の大当たり遊技が設けられており、
所定の演出を実行可能な演出制御手段を備え、
前記演出制御手段は、
前記大当たり遊技が実行される場合、前記単位遊技が行われる前に、前記遊技媒体に関連付けられたポイント数を２以上の特定回数繰り返して表示する特定演出を実行することがあり、
前記ポイント数が前記特定回数表示されたことに応じて、当該特定演出において繰り返して表示されたポイント数の合計を表示することを特徴とする。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
所定条件の成立により、特別図柄の変動表示を行った後に特定の前記特別図柄が停止表示すると遊技者に有利な有利遊技状態にて遊技を制御する遊技機であって、
第１図柄を表示可能な第１表示部と、
前記第１図柄と異なる第２図柄を表示可能な第２表示部と、
前記特別図柄の変動表示が行われているときに前記第１表示部にて前記第１図柄を変動表示可能な第１図柄表示制御手段と、
前記特別図柄の変動表示が行われているときに前記第２表示部にて前記第２図柄を変動表示可能な第２図柄表示制御手段と、
所定の演出を実行可能な演出制御手段と、
操作可能な操作手段と、を備え、
前記第１図柄表示制御手段は、前記特別図柄が停止表示される前に、変動表示している前記第１図柄を特定態様で停止表示させることが可能であり、
前記第２図柄表示制御手段は、前記特別図柄が停止表示されることに伴って、変動表示している前記第２図柄を所定態様で停止表示させることが可能であり、
前記演出制御手段は、
前記第１図柄が前記特定態様で停止表示されてから前記特別図柄が停止表示されるまでの間に、前記第１表示部にて、前記第１図柄とは異なる特定図柄の変動表示を行うことがあり、
前記特定図柄の変動表示が行われているときに前記操作手段が操作されることに応じて当該特定図柄を停止させると共に、特定演出を実行することがあることを特徴とする遊技機。
【手続補正２】
【補正対象書類名】明細書
【補正対象項目名】０００７
【補正方法】変更
【補正の内容】
【０００７】
本発明の遊技機は、上記課題を解決するために、
所定条件の成立により、特別図柄の変動表示を行った後に特定の前記特別図柄が停止表示すると遊技者に有利な有利遊技状態にて遊技を制御する遊技機であって、
第１図柄を表示可能な第１表示部と、
前記第１図柄と異なる第２図柄を表示可能な第２表示部と、
前記特別図柄の変動表示が行われているときに前記第１表示部にて前記第１図柄を変動表示可能な第１図柄表示制御手段と、
前記特別図柄の変動表示が行われているときに前記第２表示部にて前記第２図柄を変動表示可能な第２図柄表示制御手段と、
所定の演出を実行可能な演出制御手段と、
操作可能な操作手段と、を備え、
前記第１図柄表示制御手段は、前記特別図柄が停止表示される前に、変動表示している前記第１図柄を特定態様で停止表示させることが可能であり、
前記第２図柄表示制御手段は、前記特別図柄が停止表示されることに伴って、変動表示している前記第２図柄を所定態様で停止表示させることが可能であり、
前記演出制御手段は、
前記第１図柄が前記特定態様で停止表示されてから前記特別図柄が停止表示されるまでの間に、前記第１表示部にて、前記第１図柄とは異なる特定図柄の変動表示を行うことがあり、
前記特定図柄の変動表示が行われているときに前記操作手段が操作されることに応じて当該特定図柄を停止させると共に、特定演出を実行することがあることを特徴とする。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ケーブルの途中部分を収容するケーブル収容溝を有する遊技機において、
前記ケーブル収容溝の溝開口の両開口縁における少なくとも一方の開口縁に部分的に形成されて他方の開口縁に向かって張り出す開口突片を有し、
前記開口突片は、前記他方の開口縁との間、又は、前記他方の開口縁から突出した他方の突片との間に、開口幅が徐々に狭くなったケーブル誘導口を形成する傾斜部を備えている遊技機。
【手続補正２】
【補正対象書類名】明細書
【補正対象項目名】０００６
【補正方法】変更
【補正の内容】
【０００６】
上記目的を達成するためになされた請求項１の発明は、ケーブルの途中部分を収容するケーブル収容溝を有する遊技機において、前記ケーブル収容溝の溝開口の両開口縁における少なくとも一方の開口縁に部分的に形成されて他方の開口縁に向かって張り出す開口突片を有し、前記開口突片は、前記他方の開口縁との間、又は、前記他方の開口縁から突出した他方の突片との間に、開口幅が徐々に狭くなったケーブル誘導口を形成する傾斜部を備えている遊技機である。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
互いに協働して遊技の演出を行う第１と第２の駆動源を有する遊技機において、
前記第１駆動源の可動範囲の途中の途中基準位置で作動する第１センサと、
前記第２駆動源の可動範囲の途中の途中基準位置で作動する第２センサと、
前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段とを備え、
前記制御プログラムは、前記第１及び第２の駆動源が前記途中基準位置に向かって移動する移動方向と、前記途中基準位置から前記次の目的位置に向かって移動する移動方向とが同一方向に設定され、
前記協働制御手段は、前記第１及び第２のセンサの作動タイミングがズレずれていないときには、前記第１と第２の各センサが作動しても前記第１と第２の各駆動源を動作停止させずに前記次の目的位置に向かわせる遊技機。
【手続補正２】
【補正対象書類名】明細書
【補正対象項目名】０００６
【補正方法】変更
【補正の内容】
【０００６】
上記目的を達成するためになされた請求項１の発明は、互いに協働して遊技の演出を行う第１と第２の駆動源を有する遊技機において、前記第１駆動源の可動範囲の途中の途中基準位置で作動する第１センサと、前記第２駆動源の可動範囲の途中の途中基準位置で作動する第２センサと、前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段とを備え、前記制御プログラムは、前記第１及び第２の駆動源が前記途中基準位置に向かって移動する移動方向と、前記途中基準位置から前記次の目的位置に向かって移動する移動方向とが同一方向に設定され、前記協働制御手段は、前記第１及び第２のセンサの作動タイミングがズレずれていないときには、前記第１と第２の各センサが作動しても前記第１と第２の各駆動源を動作停止させずに前記次の目的位置に向かわせる遊技機である。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
互いに協働して遊技の演出を行う第１と第２の駆動源を有する遊技機において、
前記第１駆動源の可動範囲の途中の途中基準位置で作動する第１センサと、
前記第２駆動源の可動範囲の途中の途中基準位置で作動する第２センサと、
前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段と、
前記第１と第２の駆動源から動力を受けて移動する共通の可動部材と、を備えた遊技機。
【請求項２】
前記制御プログラムは、前記第１と第２の駆動源が、同一方向又は互いに逆方向に同じ速度で回転して、それぞれの前記途中基準位置に到達するか通過した後、前記途中基準位置以外の次の目的位置に向かうように設定されている請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、互いに協働して遊技の演出を行う第１と第２の駆動源を有する遊技機において、前記第１駆動源の可動範囲の途中の途中基準位置で作動する第１センサと、前記第２駆動源の可動範囲の途中の途中基準位置で作動する第２センサと、前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段と、前記第１と第２の駆動源から動力を受けて移動する共通の可動部材と、を備えた遊技機である。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
互いに協働して遊技の演出を行う第１と第２の駆動源を有する遊技機において、
前記第１駆動源の可動範囲の途中の途中基準位置で作動する第１センサと、
前記第２駆動源の可動範囲の途中の途中基準位置で作動する第２センサと、
前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段とを備え、
前記協働制御手段は、前記第１及び第２のセンサのうち一方のセンサが先に作動したらその一方のセンサに対応する駆動源を励磁状態で動作停止させ、次いで他方のセンサが作動したらその他方のセンサに対応する駆動源を励磁状態で動作停止させて両前記駆動源を共に予め定められた規定時間の間、動作停止させてから前記次の目的位置に向けて移動を開始させる遊技機。
【請求項２】
前記協働制御手段は、前記第１及び第２のセンサの作動タイミングがズレたか否かに拘わらず、前記第１と第２の各センサの作動に対して両前記駆動源を共に励磁状態で動作停止させてから前記次の目的位置に向かわせる請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、互いに協働して遊技の演出を行う第１と第２の駆動源を有する遊技機において、前記第１駆動源の可動範囲の途中の途中基準位置で作動する第１センサと、前記第２駆動源の可動範囲の途中の途中基準位置で作動する第２センサと、前記第１及び第２の駆動源が、それぞれの前記途中基準位置に到達するか通過した後、前記途中基準位置以外の次の目的位置に向かうように設定された制御プログラムに基づいて前記第１及び第２の駆動源を制御し、前記第１及び第２のセンサのうち一方のセンサが先に作動した場合に、その一方のセンサに対応する駆動源を少なくとも他方のセンサが作動するまでは励磁状態で動作停止させて両前記駆動源の間の動作遅れを解消してから、前記次の目的位置に向かわせる協働制御手段とを備え、前記協働制御手段は、前記第１及び第２のセンサのうち一方のセンサが先に作動したらその一方のセンサに対応する駆動源を励磁状態で動作停止させ、次いで他方のセンサが作動したらその他方のセンサに対応する駆動源を励磁状態で動作停止させて両前記駆動源を共に予め定められた規定時間の間、動作停止させてから前記次の目的位置に向けて移動を開始させる遊技機である。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
特別図柄抽選の結果が、第１の当選のときは所定の入賞口を所定期間開放する大役処理に移行し、第２の当選のときは特定領域の遊技球の通過を契機に前記大役処理に移行するように遊技の進行を制御する制御手段と、
前記制御手段による遊技の進行に応じた遊技情報として、前記第２の当選の状態を示す第２の当選情報と、当該第２の当選から取得した大役処理の実行中を示す大役処理情報と、を生成する生成手段と、
を有する遊技機。
【請求項２】
前記生成手段で生成された、前記第２の当選情報及び前記大役処理情報を、複数の遊技機の稼働状況を管理する遊技場装置へ出力する出力手段をさらに有する請求項１記載の遊技機。
【請求項３】
前記生成手段で生成された、前記第２の当選情報から得られる第２の当選回数及び前記大役処理情報から得られる大役処理回数に基づいて、第２の当選により大役処理権利を取得する大役処理確率、又は当該大役処理確率の標準確率に対する優劣情報を報知する報知手段をさらに有する請求項１記載の遊技機。
【請求項４】
特別図柄抽選の結果が、第１の当選のときは所定の入賞口を所定期間開放する大役処理に移行し、第２の当選のときは特定領域の遊技球の通過を契機に前記大役処理に移行するように遊技の進行が制御される複数の遊技機の遊技の進行状態を管理する遊技場装置であって、
前記遊技機から遊技情報として、前記第２の当選の状態を示す第２の当選情報と、当該第２の当選から取得した大役処理の実行中を示す大役処理情報とを受信する受信手段と、
前記第２の当選情報を第２の当選回数としてカウントすると共に、前記大役処理情報を第２の当選からの大役処理回数としてカウントするカウント手段と、
前記第２の当選回数と前記大役処理回数とに基づいて所定の演算をする演算手段と、
前記演算手段による演算結果を報知する報知手段と、
を有する遊技場装置。
【手続補正２】
【補正対象書類名】明細書
【補正対象項目名】００１１
【補正方法】変更
【補正の内容】
【００１１】
本発明は、特別図柄抽選の結果が、第１の当選のときは所定の入賞口を所定期間開放する大役処理に移行し、第２の当選のときは特定領域の遊技球の通過を契機に前記大役処理に移行するように遊技の進行を制御する制御手段と、前記制御手段による遊技の進行に応じた遊技情報として、前記第２の当選の状態を示す第２の当選情報と、当該第２の当選から取得した大役処理の実行中を示す大役処理情報と、を生成する生成手段と、を有する遊技機である。
【手続補正３】
【補正対象書類名】明細書
【補正対象項目名】００２６
【補正方法】変更
【補正の内容】
【００２６】
本発明は、特別図柄抽選の結果が、第１の当選のときは所定の入賞口を所定期間開放する大役処理に移行し、第２の当選のときは特定領域の遊技球の通過を契機に前記大役処理に移行するように遊技の進行が制御される複数の遊技機の遊技の進行状態を管理する遊技場装置であって、前記遊技機から遊技情報として、前記第２の当選の状態を示す第２の当選情報と、当該第２の当選から取得した大役処理の実行中を示す大役処理情報とを受信する受信手段と、前記第２の当選情報を第２の当選回数としてカウントすると共に、前記大役処理情報を第２の当選からの大役処理回数としてカウントするカウント手段と、前記第２の当選回数と前記大役処理回数とに基づいて所定の演算をする演算手段と、前記演算手段による演算結果を報知する報知手段と、を有する遊技場装置である。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
手術顕微鏡と、ＯＣＴ信号を取得するＯＣＴ部と、制御部とを備えた眼科用観察システムであって、
前記手術顕微鏡は、
観察対象である生体からの観察光束を導光する観察光学系と、
前記観察光学系における前記観察光束の光路上に設けられ、前記観察光学系のフォーカスを調整する観察フォーカス調整部と、
を備え、
前記ＯＣＴ部は、
ＯＣＴ光源と、
前記ＯＣＴ光源から出射された光束を測定光束と参照光束に分割する光分割器と、
前記参照光束と、前記生体で反射した測定光束の合成によって得られる干渉光を受光する受光素子と、
前記測定光束の光路上、および前記参照光束の光路上の少なくともいずれかに設けられ、前記測定光束と前記参照光束の光路長差を調整する光路長差調整部と、
を備え、
前記制御部は、
前記観察光学系のフォーカス状態の変化に応じて、前記ＯＣＴ部における前記光路長差調整部を駆動させることを特徴とする眼科用観察システム。
【請求項２】
請求項１に記載の眼科用観察システムであって、
前記制御部は、
前記手術顕微鏡における前記観察光学系のフォーカス状態を取得し、
前記観察光学系のフォーカス状態の取得結果に基づいて前記観察フォーカス調整部および前記光路長差調整部を駆動させることを特徴とする眼科用観察システム。
【請求項３】
請求項２に記載の眼科用観察システムであって、
前記手術顕微鏡は、
前記観察光学系によって導光された前記観察光束を受光することで、前記生体の顕微鏡画像を撮影する撮影素子をさらに備え、
前記制御部は、
前記撮影素子によって撮影された前記顕微鏡画像を表示手段に表示させると共に、
前記撮影素子からの信号に基づいて、前記観察光学系のフォーカス状態を取得することを特徴とする眼科用観察システム。
【請求項４】
請求項３に記載の眼科用観察システムであって、
前記制御部は、
前記撮影素子によって撮影された前記顕微鏡画像の領域内に関心領域を設定し、
前記顕微鏡画像のうち、設定した前記関心領域を含む領域である評価領域内における信号に基づいて、前記観察光学系のフォーカス状態を取得することを特徴とする眼科用観察システム。
【請求項５】
手術顕微鏡と、ＯＣＴ信号を取得するＯＣＴ部とを備えた眼科用観察システムを制御する制御装置において実行される眼科用観察制御プログラムであって、
前記手術顕微鏡は、
観察対象である生体からの観察光束を導光する観察光学系と、
前記観察光学系における前記観察光束の光路上に設けられ、前記観察光学系のフォーカスを調整する観察フォーカス調整部と、
を備え、
前記ＯＣＴ部は、
ＯＣＴ光源と、
前記ＯＣＴ光源から出射された光束を測定光束と参照光束に分割する光分割器と、
前記参照光束と、前記生体で反射した測定光束の合成によって得られる干渉光を受光する受光素子と、
前記測定光束の光路上、および前記参照光束の光路上の少なくともいずれかに設けられ、前記測定光束と前記参照光束の光路長差を調整する光路長差調整部と、
を備え、
前記眼科用観察制御プログラムが前記制御装置の制御部によって実行されることで、
前記観察光学系のフォーカス状態の変化に応じて、前記ＯＣＴ部における前記光路長差調整部を駆動させる光路長差調整ステップを前記制御装置に実行させることを特徴とする眼科用観察制御プログラム。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
画像データから検出される病変疑い領域画像を提示する画像処理装置であって、
前記病変疑い領域画像に関する画像特徴ラベルを分類するための学習を行う画像特徴ラベル学習部と、
前記画像特徴ラベル学習部の学習により得られる前記画像特徴ラベルの学習パラメータを用いて、前記病変疑い領域画像の画像特徴量を抽出する画像特徴量抽出部と、
前記病変疑い領域画像を表示する表示部と、
ユーザ入力部と、
前記ユーザ入力部からの入力に応じて、前記学習パラメータを更新する画像特徴ラベル学習更新部と、を備える
ことを特徴とする画像処理装置。
【請求項２】
請求項１に記載の画像処理装置であって、
前記画像特徴量抽出部は、
前記画像特徴ラベル学習更新部により更新された前記学習パラメータを用いて、前記病変疑い領域画像の画像特徴量を改めて抽出する、
ことを特徴とする画像処理装置。
【請求項３】
請求項１に記載の画像処理装置であって、
前記画像特徴量抽出部で抽出される前記画像特徴量を用いて、病変疑い領域の悪性度を推定するための病変疑い領域悪性度学習部と、
前記病変疑い領域悪性度学習部で得られる病変疑い領域悪性度推定パラメータを用いて、病変疑い領域の悪性度を算出する病変疑い領域悪性度推定部と、
前記病変疑い領域画像のそれぞれに対する前記ユーザ入力部からの入力に応じて、前記病変疑い領域悪性度推定パラメータを更新する病変疑い領域悪性度学習更新部を備える、
ことを特徴とする画像処理装置。
【請求項４】
請求項３に記載の画像処理装置であって、
前記病変疑い領域悪性度推定部は、
前記病変疑い領域悪性度学習更新部より更新された前記病変疑い領域悪性度推定パラメータを用いて、前記病変疑い領域画像に関する病変疑い領域の悪性度を改めて推定する、
ことを特徴とする画像処理装置。
【請求項５】
請求項１に記載の画像処理装置であって、
前記画像特徴量抽出部は、前記学習パラメータを用いて、前記病変疑い領域画像に関する前記画像特徴ラベルの種類を識別する、
ことを特徴とする画像処理装置。
【請求項６】
請求項１に記載の画像処理装置であって、
前記画像特徴ラベル学習部は、
前記病変疑い領域画像に関する、前記ユーザ入力部から新たに追加された画像特徴ラベルに応じて、前記画像特徴ラベルの種類を追加し、前記学習パラメータを更新する、
ことを特徴とする画像処理装置。
【請求項７】
請求項１に記載の画像処理装置であって、
前記表示部は、
前記画像データと前記病変疑い領域画像と、前記病変疑い領域画像に対応する前記画像特徴ラベルの識別結果とを表示し、前記病変疑い領域悪性度の推定スコアに対し、順位付けを行い、悪性度の高い順で前記病変疑い領域画像を並べ替える、
ことを特徴とする画像処理装置。
【請求項８】
請求項７に記載の画像処理装置であって、
前記表示部は、
前記画像特徴ラベルの画像と、前記病変疑い領域画像に対応する画像特徴ラベルの識別結果を表示し、前記病変疑い領域画像に対応する画像特徴ラベルの正解をユーザに選択させる、
ことを特徴とする画像処理装置。
【請求項９】
請求項７に記載の画像処理装置であって、
前記表示部は、
前記病変疑い領域画像に対応する正誤情報をユーザに選択させる、
ことを特徴とする画像処理装置。
【請求項１０】
請求項７に記載の画像処理装置であって、
前記表示部は、
前記病変疑い領域画像の他、ユーザに新たに病変疑い領域画像を追加させ、それに対応する画像特徴ラベルおよび正誤情報を選択させる、
ことを特徴とする画像処理装置。
【請求項１１】
請求項１に記載の画像処理装置であって、
前記画像特徴ラベル学習部は、
画像特徴ラベルクラスのそれぞれに対し、ＣＮＮ（Ｃｏｎｖｏｌｕｔｉｏｎａｌ  Ｎｅｕｒａｌ  Ｎｅｔｗｏｒｋ）ネットワークをそれぞれ設定し、
前記ＣＮＮネットワーク各々を学習させるための学習データの中、正のサンプルデータはそれぞれの前記画像特徴ラベルクラスに所属する画像であり、負のサンプルデータはそれ以外の画像特徴ラベルクラスに所属する画像である、
ことを特徴とする画像処理装置。
【請求項１２】
表示部とユーザ入力部を備え、画像データから検出される病変疑い領域画像を提示する画像処理装置の画像処理方法であって、
前記画像処理装置は、
前記病変疑い領域画像に関する画像特徴ラベルを分類するための学習を行い、
前記学習により得られる前記画像特徴ラベルの学習パラメータを用いて、前記病変疑い領域画像の画像特徴量を抽出し、
前記病変疑い領域画像を前記表示部に表示し、
前記ユーザ入力部からの入力に応じて、前記学習パラメータを更新する、
ことを特徴とする画像処理方法。
【請求項１３】
請求項１２に記載の画像処理方法であって、
前記画像処理装置は、
更新された前記学習パラメータを用いて、前記病変疑い領域画像の画像特徴量を改めて抽出する、
ことを特徴とする画像処理方法。
【請求項１４】
請求項１２に記載の画像処理方法であって、
前記画像処理装置は、
前記学習パラメータを用いて、前記病変疑い領域画像に関する前記画像特徴ラベルの種類を識別する、
ことを特徴とする画像処理方法。
【請求項１５】
請求項１２に記載の画像処理方法であって、
前記画像処理装置は、
前記病変疑い領域画像に関する、前記ユーザ入力部から新たに追加された画像特徴ラベルに応じて、前記画像特徴ラベルの種類を追加し、前記学習パラメータを更新する、
ことを特徴とする画像処理方法。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
放射線に応じた信号を生成するための画素アレイを備えた放射線検出手段と、発音による報知を行う報知手段とを有する放射線撮影装置であって、
前記放射線撮影装置の状態に応じて発生する報知イベントを検出する検出手段と、
前記検出手段が複数の報知イベントを検出した際に、前記複数の報知イベントのうち、より高い優先度を有する報知イベントに対応付けられている音を発音するように、前記報知手段を制御する制御手段と、
を備えることを特徴とする放射線撮影装置。
【請求項２】
放射線に応じた信号を生成するための画素アレイを備えた放射線検出手段と、発音による報知を行う報知手段とを有する放射線撮影装置であって、
前記放射線撮影装置の状態に応じて発生する複数の報知イベントを検出する検出手段と、
前記複数の報知イベントのそれぞれに設定されている優先度に基づいて、前記報知手段を制御する制御手段と、
を備え、
前記制御手段は、前記画素アレイから信号の読み出しを行う読出し期間中に、前記検出手段により前記複数の報知イベントのうちの報知イベントが検出された場合、前記報知手段からの発音を制限することを特徴とする放射線撮影装置。
【請求項３】
前記制御手段が、報知イベントに対応付けられている第一の音を前記報知手段から発音させている間に、前記報知イベントの優先度に比べて高い優先度の報知イベントが検出された場合、
前記制御手段は、前記第一の音の発音の発音時間を、予め設定されている発音時間よりも短くするように前記報知手段を制御することを特徴とする請求項１又は２に記載の放射線撮影装置。
【請求項４】
前記制御手段は、予め設定されている発音時間の途中で前記第一の音の発音を終了させて、前記高い優先度の報知イベントに対応付けられている第二の音を発音するように前記報知手段を制御することを特徴とする請求項３に記載の放射線撮影装置。
【請求項５】
前記制御手段が、報知イベントに対応付けられている第一の音を前記報知手段から発音させている間に、前記報知イベントの優先度に比べて低い優先度の報知イベントが検出された場合、
前記制御手段は、前記第一の音を予め設定されている発音時間、前記報知手段から発音させた後に、前記低い優先度の報知イベントに対応付けられている第二の音を発音するように前記報知手段を制御することを特徴とする請求項１又は２に記載の放射線撮影装置。
【請求項６】
前記制御手段は、前記第一の音の発音完了後、前記第二の音の発音開始前に、前記報知手段を無音に制御することを特徴とする請求項５に記載の放射線撮影装置。
【請求項７】
前記制御手段は、前記第一の音に対応付けられている前記報知イベントの種類に基づいて、前記報知手段を無音にする無音時間の設定を変更することを特徴とする請求項６に記載の放射線撮影装置。
【請求項８】
前記制御手段は、前記第一の音に対応付けられている前記報知イベントの種類と、前記第二の音に対応付けられている前記報知イベントの種類との組合せに基づいて、前記報知手段を無音にする無音時間の設定を変更することを特徴とする請求項６または７に記載の放射線撮影装置。
【請求項９】
報知イベントの情報を記憶する記憶手段を更に備え、
前記第一の音を前記報知手段から発音させている間に、前記低い優先度の報知イベントが検出された場合、前記制御手段は、前記低い優先度の報知イベントの情報を前記記憶手段に記憶することを特徴とする請求項５乃至８のいずれか１項に記載の放射線撮影装置。
【請求項１０】
前記制御手段は、前記第一の音の発音完了後、前記記憶手段に記憶されている報知イベントの情報を取得し、前記取得した報知イベントの情報に対応付けられている第二の音を発音するように前記報知手段を制御する請求項９に記載の放射線撮影装置。
【請求項１１】
前記画素アレイから信号の読み出しを行う読出し期間中に、前記検出手段により報知イベントが検出された場合、前記制御手段は、前記読出し期間を発音制限期間として設定し、前記報知手段からの発音を制限することを特徴とする請求項１乃至１０のいずれか１項に記載の放射線撮影装置。
【請求項１２】
前記画素アレイから信号の読み出しを行う期間には、放射線未照射の状態における補正用の画像データと、放射線照射後の放射線画像データとを得るために、前記画素アレイから画像信号を読み出す期間が含まれることを特徴とする請求項１１に記載の放射線撮影装置。
【請求項１３】
前記発音制限期間には、前記補正用の画像データと、前記放射線画像データとをデジタル化する期間が含まれることを特徴とする請求項１２に記載の放射線撮影装置。
【請求項１４】
前記放射線撮影装置の状態には、放射線撮影処理を開始する状態が含まれることを特徴とする請求項１乃至１３のいずれか１項に記載の放射線撮影装置。
【請求項１５】
前記放射線撮影装置の状態には、放射線照射を検知するための照射検知可能時間が基準値よりも少なくなっている状態が含まれることを特徴とする請求項１乃至１４のいずれか１項に記載の放射線撮影装置。
【請求項１６】
画像データを記憶する画像記憶手段を更に備え、
前記放射線撮影装置の状態には、前記画像記憶手段に記憶され、外部の装置に対して未転送の画像データが存在する状態を含むことを特徴とする請求項１乃至１５のいずれか１項に記載の放射線撮影装置。
【請求項１７】
撮影を行うための操作設定を受け付ける操作手段を更に備え、
前記放射線撮影装置の状態には、前記操作手段による操作設定に基づく前記放射線撮影装置の設定が変更された状態を含むことを特徴とする請求項１乃至１６のいずれか１項に記載の放射線撮影装置。
【請求項１８】
前記放射線撮影装置の状態には、前記放射線撮影装置の撮影モードが変更された状態が含まれることを特徴とする請求項１乃至１７のいずれか１項に記載の放射線撮影装置。
【請求項１９】
放射線に応じた信号を生成するための画素アレイを備えた放射線検出手段と、発音による報知を行う報知手段と、放射線撮影装置の状態に応じて発生する報知イベントを検出する検出手段と、を有する放射線撮影装置の制御方法であって、
前記検出手段が複数の報知イベントを検出した際に、前記複数の報知イベントのうち、より高い優先度を有する報知イベントに対応付けられている音を発音するように、前記報知手段を制御する工程を有することを特徴とする放射線撮影装置の制御方法。
【請求項２０】
コンピュータに、請求項１９に記載の放射線撮影装置の制御方法の工程を実行させるためのプログラム。
【手続補正２】
【補正対象書類名】明細書
【補正対象項目名】０００６
【補正方法】変更
【補正の内容】
【０００６】
本発明の一態様による放射線撮影装置は、放射線に応じた信号を生成するための画素アレイを備えた放射線検出手段と、発音による報知を行う報知手段とを有する放射線撮影装置であって、
前記放射線撮影装置の状態に応じて発生する報知イベントを検出する検出手段と、前記検出手段が複数の報知イベントを検出した際に、前記複数の報知イベントのうち、より高い優先度を有する報知イベントに対応付けられている音を発音するように、前記報知手段を制御する制御手段と、を備えることを特徴とする。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
対象者の状態に関するデータ信号が入力される入力部と、
無線モジュールと、
前記無線モジュールの動作を切り替える第１切り替え部と、
前記データ信号に基づく第１無線信号の入力を受けてから送信するまでの時間を切り替える第２切り替え部と、
を備え、
前記第１切り替え部が第１状態の場合に、前記対象者の状態の変化した状態が前記第２切り替え部により設定された第１時間継続したとき、前記無線モジュールは、前記データ信号に基づく第１無線信号を送信する第１モード動作を実施し、
前記第１切り替え部が第２状態のときに、前記無線モジュールは、受信した第２無線信号に応じた中継信号を送信する第２モード動作を実施する、介護・医療用通信装置。
【請求項２】
前記データ信号は、ベッド及び床の少なくともいずれかの上に配置された荷重検知部により検知された検知信号を含む、請求項１記載の介護・医療用通信装置。
【請求項３】
前記データ信号は、ベッドに関するベッド情報信号を含む、請求項１または２に記載の介護・医療用通信装置。
【請求項４】
請求項１〜３のいずれか１つに記載の複数の介護・医療用通信装置を備え、
前記複数の介護・医療用通信装置の１つに含まれる前記無線モジュールは、前記第１モード動作を実施し、
前記複数の介護・医療用通信装置の別の１つに含まれる前記無線モジュールは、前記第２モード動作を実施し、
前記複数の介護・医療用通信装置の前記別の１つに含まれる前記無線モジュールの前記第２モード動作における前記第２無線信号は、前記複数の介護・医療用通信装置の前記１つに含まれる前記無線モジュールの前記第１モード動作において送信された前記第１無線信号である、介護・医療用通信システム。
【請求項５】
前記中継信号を受信する受信機をさらに備え、
前記受信機は、前記中継信号に基づいて、表示、発光、音及び振動の少なくともいずれかの報知を行う報知部を含む、請求項４記載の介護・医療用通信システム。
【手続補正２】
【補正対象書類名】明細書
【補正対象項目名】０００５
【補正方法】変更
【補正の内容】
【０００５】
本発明の実施形態によれば、介護・医療用通信装置は、対象者の状態に関するデータ信号が入力される入力部と、無線モジュールと、前記無線モジュールの動作を切り替える第１切り替え部と、前記データ信号に基づく第１無線信号の入力を受けてから送信するまでの時間を切り替える第２切り替え部と、を含む。前記第１切り替え部が第１状態の場合に、前記対象者の状態の変化した状態が前記第２切り替え部により設定された第１時間継続したとき、前記無線モジュールは、前記データ信号に基づく第１無線信号を送信する第１モード動作を実施する。前記第１切り替え部が第２状態のときに、前記無線モジュールは、受信した第２無線信号に応じた中継信号を送信する第２モード動作を実施する。